(57)【要約】      （修正有）【課題】測定結果に関する通知を容易に認識することができる。【解決手段】検体分析装置による複数の測定項目の測定結果の表示方法であって、複数の測定項目の各々を選択可能に表示部３３ｃに表示するとともに、測定結果に関する通知を当該測定項目に対応付けて表示部３３ｃに表示する、通知表示ステップと；測定項目の少なくとも１つが選択されたことに応じて、選択された測定項目の測定結果を表示部３３ｃに表示する、測定結果表示ステップと；を含む、表示方法。【選択図】図３Ａ
2020056623.tif 000002
【特許請求の範囲】
【請求項１】
検体分析装置による複数の測定項目の測定結果の表示方法であって、
前記複数の測定項目の各々を選択可能に表示部に表示するとともに、前記測定結果に関する通知を当該測定項目に対応付けて表示部に表示する、通知表示ステップと、
前記測定項目の少なくとも１つが選択されたことに応じて、選択された前記測定項目の測定結果を前記表示部に表示する、測定結果表示ステップと、
を含む、表示方法。
【請求項２】
前記通知表示ステップにおいて、
前記複数の測定項目の各々を、タブによって前記測定項目毎に選択可能に表示し、
前記測定結果に関する通知を、前記タブに表示する、
請求項１に記載の表示方法。
【請求項３】
前記測定項目は、血液凝固分析の測定項目である、請求項１または２に記載の表示方法。
【請求項４】
前記測定結果表示ステップにおいて、前記測定結果と一緒に、当該測定結果に関連するグラフを表示する、請求項１〜３のいずれか１項に記載の表示方法。
【請求項５】
前記グラフは、測定データから得られるグラフである、請求項４に記載の表示方法。
【請求項６】
前記測定項目は、血液凝固分析の測定項目であり、
前記グラフは、凝固波形である、請求項５に記載の表示方法。
【請求項７】
前記グラフは、検量線である、請求項５に記載の表示方法。
【請求項８】
前記通知は、前記検体分析装置の操作者に注意を促す通知である、請求項１〜７のいずれか１項に記載の表示方法。
【請求項９】
前記通知は、前記測定結果に関するエラーの通知である、請求項８に記載の表示方法。
【請求項１０】
前記通知表示ステップにおいて、
１つの検体について測定された前記複数の測定項目を、前記表示部に一覧表示する、請求項１〜９のいずれか１項に記載の表示方法。
【請求項１１】
前記測定結果のエラーを前記測定項目毎に検知する、エラー検知ステップをさらに含む、請求項９または１０に記載の表示方法。
【請求項１２】
複数の検体に関する情報を、検体毎に表示する一覧表示ステップをさらに含み、
前記複数の検体の少なくとも１つが選択されたことに応じて、前記測定結果表示ステップおよび前記通知表示ステップを実行する、請求項１〜１１のいずれか１項に記載の表示方法。
【請求項１３】
前記タブに、対応する前記測定項目の名称を表示する、請求項２に記載の表示方法。
【請求項１４】
前記通知表示ステップにおいて、前記測定結果に関する通知を示す情報を、通知毎に異なる態様で表示する、請求項１〜１３のいずれか１項に記載の表示方法。
【請求項１５】
前記検体分析装置の操作者により選択された前記測定項目に対応する前記測定項目の測定結果と、測定結果に関する通知とが、同一画面上に表示される、請求項１〜１４のいずれか１項に記載の表示方法。
【請求項１６】
前記測定結果に関する通知が表示されている前記タブが、所定の表示順になるように、前記タブを表示する、請求項２に記載の表示方法。
【請求項１７】
制御部および表示部を備えており、複数の測定項目の測定結果を表示する検体分析装置であって、
前記制御部は、
前記複数の測定項目の各々を選択可能に前記表示部に表示するとともに、前記測定結果に関する通知を当該測定項目に対応付けて前記表示部に表示する、通知表示ステップと、
前記測定項目の少なくとも１つが選択されたことに応じて、選択された前記測定項目の測定結果を前記表示部に表示する、測定結果表示ステップと、
を実行する、検体分析装置。
【請求項１８】
複数の測定項目の測定結果を表示する検体分析装置に用いられるコンピュータプログラムであって、
前記複数の測定項目の各々を選択可能に表示部に表示するとともに、前記測定結果に関する通知を当該測定項目に対応付けて前記表示部に表示する、通知表示ステップと、
前記測定項目の少なくとも１つが選択されたことに応じて、選択された前記測定項目の測定結果を前記表示部に表示する、測定結果表示ステップと、
を前記検体分析装置に実行させる、コンピュータプログラム。
【請求項１９】
請求項１８に記載のコンピュータプログラムが記録されている、コンピュータ読み取り可能な記録媒体。
【発明の詳細な説明】
【技術分野】
【０００１】
本発明は、検体分析装置における測定結果の表示方法などに関する。
【背景技術】
【０００２】
従来、検体に対して複数の測定項目の測定を行い、測定結果を表示する検体分析装置が知られている。このような装置の中には、測定項目の増加に伴う測定結果の一覧を表示する画面の複雑化を防ぐために、画面構成に特徴を持たせたものもある。例えば、特許文献１は、複数の測定項目を操作者がまとまり毎に分け、当該まとまりに対して見出しを作成できる画面構成を開示している（図１２を参照）。
【０００３】
また、上述の測定結果の一覧を表示する表示画面には、検体や検査項目に関する通知を表示するものもある。例えば特許文献２は、特定の検体に対して再検が推奨される旨の通知を強調表示したり（Ａ２）、当該検体に対して特定の測定項目の追加測定を推奨する旨の通知を強調表示したり（Ａ３）する画面構成を開示している（図１３を参照）。
【先行技術文献】
【特許文献】
【０００４】
【特許文献１】特開２０１３−１６７５６１号公報
【特許文献２】特開２０１０−２５６２６０号公報
【発明の概要】
【発明が解決しようとする課題】
【０００５】
しかしながら、上述のような従来の画面構成では、画面に表示される情報量が増加すると、操作者に対する通知が認識し難くなるという課題があった。例えば、図１３の画面構成では、患者に関する情報と、測定項目に関する情報とを同じ画面で表示するため、強調表示されている領域（Ａ２およびＡ３）が狭くなり、結果として認識性が低下してしまう。
【０００６】
また、測定項目数の増加に伴う認識性の低下も存在する。例えば、図１２の画面構成において、仮に見出しＡ１を強調表示したとしても、測定項目数が増加すると、スクロール領域Ｓを操作しなければ、強調表示されている見出しＡ１を認識できない可能性がある（なお、特許文献１自体は、「見出しＡ１を強調表示する」という構成を開示していない）。図１３の画面構成も、検体や測定項目の数が増加すると、強調表示されている箇所Ａ２、Ａ３を探すために、スクロール領域Ｓを操作する必要がある場合がある。そのため、強調表示されている箇所Ａ２、Ａ３を操作者が認識するまでに時間を要する可能性がある。
【０００７】
このように、各測定項目を１行毎に表示する画面構成では、行の数が増加するにつれて、操作者が測定項目に関する通知を発見するためにスクロール領域を操作する必要が生じる傾向にあり、それゆえ通知を認識するまでに時間を要する傾向にある。
【０００８】
本発明は、前記のような課題を解決するために成されたものであり、その目的の一つは、測定結果に関する通知を容易に認識することができる、検体分析装置による測定結果の表示方法を提供することにある。
【課題を解決するための手段】
【０００９】
前記の課題を解決するために、本発明の一態様に係る表示方法は、検体分析装置（３０）による複数の測定項目の測定結果の表示方法であって、複数の測定項目の各々を選択可能に表示部（３３ｃ）に表示するとともに、測定結果に関する通知を当該測定項目に対応付けて表示部（３３ｃ）に表示する、通知表示ステップと、測定項目の少なくとも１つが選択されたことに応じて、選択された測定項目の測定結果を表示部（３３ｃ）に表示する、測定結果表示ステップと、を含む。
【００１０】
前記の構成によれば、測定結果を表示するために測定項目を選択させる表示画面において、ある測定結果に関する通知が、当該測定項目に対応付けて表示部（３３ｃ）に表示される。それゆえ、検体分析装置（３０）の操作者は、測定項目を選択する段階で、測定結果に関する通知があることを認識することができる。
【００１１】
なお、測定結果表示ステップと通知表示ステップとの間に、時間経過は必ずしも必要ではない。例えば、測定結果表示ステップおよび通知表示ステップは、同時に行われてもよい。
【００１２】
通知表示ステップにおいて、複数の測定項目の各々を、タブ（７１０）によって測定項目毎に選択可能に表示し、測定結果に関する通知を、タブ（７１０）に表示してもよい。
【００１３】
前記の構成によれば、測定結果表示画面（７００）において、タブ（７１０）の領域に測定結果に関する通知が表示される。つまり、タブ（７１０）の切り替えによって表示が変化する領域ではなく、タブ（７１０）自体に測定結果に関する通知が表示される。それゆえ、検体分析装置（３０）の操作者は、測定結果に関する通知が表示されているタブ（７１０ｃ）を、容易に認識することができる。
【００１４】
測定結果に関する通知の例としては、測定結果に関するエラーの通知、測定完了の通知などが挙げられる。
【００１５】
例えばタブによって測定項目を表示する場合、測定結果に関する通知の表示方法の例としては、タブ（７１０ｃ）に何らかの記号（！、※、＊、★など；エラー通知マーク７１５）を表示する、タブ（７１０ｃ）の見出し文字を変化させる（太字、色付き、大きな文字など）、タブ（７１０ｃ）の背景に色を付ける、などが挙げられる。また、通知の内容や重要度によって、測定結果に関する通知の表示方法を異ならせてもよい。
【００１６】
測定項目は、血液凝固分析の測定項目であってもよい。
【００１７】
例えば、特許文献１および２は、血液や尿をサンプルとする臨床検査を前提としている。このような検査は一般的に、測定項目の数が多い。それゆえ、各測定項目を１行毎に表示し、図１２に示すスクロール領域Ｓなどを備えることが一般的であった。しかし、例えば、血液凝固分析のように、測定項目数が比較的少ない検査の場合は、測定項目に対応付けて通知を表示することにより、測定結果に関する通知の認識性を高められることを、本発明者らは見出した。
【００１８】
前記の構成によれば、測定結果表示画面（７００）に、血液凝固分析の測定項目が表示される。ここで、血液凝固分析の測定項目数は、他の臨床検査の測定項目数よりも少ない傾向にある。例えば、血友病が疑われる被験者に対する初期検査では、通例、血小板数、プロトロンビン時間（ＰＴ）、活性化部分トロンボプラスチン時間（ＡＰＴＴ）の３項目が血液凝固分析によって測定される。したがって、本発明の一実施形態に係る表示方法を血液凝固分析に応用し、さらにタブによって測定項目を表示させるならば、測定結果表示ステップにおいて表示されるタブの数が多くなり過ぎるおそれが小さい。それゆえ、測定項目毎にタブを表示する表示方法は、血液凝固分析の測定結果の表示に特に適している。
【００１９】
測定結果表示ステップにおいて、測定結果と一緒に、当該測定結果に関連するグラフを表示してもよい。
【００２０】
前記の構成によれば、測定結果表示ステップにおいて、測定結果表示画面（７００）には、測定結果と一緒に測定結果に関連するグラフが表示される。一般的に、グラフの表示には広い表示領域が必要となる。ここで、測定項目毎にタブを表示し、選択されたタブに対応する測定項目の測定結果を表示する表示方法ならば、一画面に表示すべき測定結果の量が減縮されるため、グラフの表示に必要な表示領域を確保しやすい。その結果、検体分析装置（３０）の操作者に、視認性の高いグラフを提供することができる。
【００２１】
グラフは、測定データから得られるグラフであってもよい。
【００２２】
このようなグラフの例としては、スキャッタグラム、凝固波形、検量線などが挙げられる。これらのグラフは検体の分析における重要性が高く、測定結果表示画面（７００）に表示することが特に望まれるグラフである。
【００２３】
測定項目は、血液凝固分析の測定項目であり、グラフは、凝固波形であってもよい。
【００２４】
血液凝固分析の測定結果を解釈するためには、凝固波形が非常に重要となる。例えば、初期反応異常（Start Angle、Early %、Slow Reactionなど）の発生が通知された（測定結果のエラーが通知された）場合には、当該測定結果が適切であったか否かを判断するために、凝固波形を参照する。そのため、視認性の高い凝固波形の表示領域を確保できるように、測定項目毎にタブを表示し、選択されたタブに対応する測定項目の測定結果を表示する表示方法とすることが好ましい。
【００２５】
グラフは、検量線であってもよい。
【００２６】
検量線は、各測定項目の測定結果の信頼性を担保するために重要な情報である。それゆえ、各測定項目の測定結果表示画面（７００）において、検量線を表示することもまた、好ましい。したがって、視認性の高い検量線の表示領域を確保できるように、測定項目毎にタブを表示し、選択されたタブに対応する測定項目の測定結果を表示する表示方法とすることが特に好ましい。
【００２７】
通知は、検体分析装置（３０）の操作者に注意を促す通知であってもよい。
【００２８】
前記構成によれば、通知表示ステップにおいて測定項目に対応付けて表示される通知によって、検体分析装置（３０）の操作者に注意が促される。例えば、タブ（７１０）によって測定項目を表示する場合、検体分析装置（３０）の操作者は、たとえ通知が表示されているタブ（７１０ｃ）を選択していなくとも、どの測定項目に注意すべき事項があるのかを、すぐに認識することができる。その後、検体分析装置（３０）操作者は、通知が表示されているタブ（７１０ｃ）を選択し、注意すべき事項の詳細を確認することができる。
【００２９】
注意を促す通知の例としては、測定結果に関するエラーの通知、緊急検体の測定完了の通知、などが挙げられる。
【００３０】
通知は、測定結果に関するエラーの通知であってもよい。
【００３１】
測定結果に関するエラーの通知は、測定結果に関する通知の中でも、特に緊急性が高い通知である。前記の構成によれば、例えば、タブ（７１０）によって測定項目を表示する場合、検体分析装置（３０）の操作者は、たとえエラーの通知が表示されているタブ（７１０ｃ）を選択していなくとも、どの測定項目にエラーが発生したのかを、すぐに認識することができる。その後、検体分析装置（３０）操作者は、エラーの通知が表示されているタブ（７１０ｃ）を選択し、エラーの詳細を確認することができる。
【００３２】
通知表示ステップにおいて、１つの検体について測定された前記複数の測定項目を、表示部（３３ｃ）に一覧表示してもよい。
【００３３】
前記の構成によれば、通知表示ステップにおいて表示される測定項目は、１つの検体に由来するものになる。これにより、例えばタブ（７１０）を利用して測定結果を表示する場合は、測定結果表示画面（７００）において、複数のタブ（７１０）のどれを選択しても、得られる情報は１つの検体に由来するものとなる。それゆえ、検体分析装置（３０）の操作者は、１つの検体に関する情報を横断的に閲覧することができる。
【００３４】
測定結果のエラーを測定項目毎に検知する、エラー検知ステップをさらに含んでもよい。
【００３５】
前記の構成によれば、検体分析装置（３０）は、測定結果に関するエラーを検知し、これを測定項目に対応させて表示することができる。
【００３６】
複数の検体に関する情報を、検体毎に表示する一覧表示ステップをさらに含み、複数の検体の少なくとも１つが選択されたことに応じて、測定結果表示ステップおよび通知表示ステップを実行してもよい。
【００３７】
前記の構成によれば、一覧表示ステップにおいて一覧表示されている検体から、検体分析装置（３０）操作者が特定の検体を選択することに応じて、測定結果表示ステップおよび通知表示ステップが実行される。つまり、検体分析装置（３０）の操作者が検体を選択することにより、測定結果に関する通知が、当該測定結果が属する測定項目に対応付けられて表示されることになる。それゆえ検体分析装置（３０）の操作者は、選択した検体の測定結果に関する通知と、当該通知がどの測定項目に関するものであるかとを、迅速に認識することができる。
【００３８】
タブ（７１０）に、対応する測定項目の名称を表示してもよい。
【００３９】
前記の構成によれば、測定結果表示画面（７００）において、タブ（７１０）の各々には測定項目の項目名が表示される。それゆえ検体分析装置（３０）の操作者は、（ｉ）測定項目が何であったかと、（ｉｉ）どの測定項目に通知があるか、とを容易に認識できる。
【００４０】
通知表示ステップにおいて、測定結果に関する通知を示す情報を、通知毎に異なる態様で表示してもよい。
【００４１】
前記の構成によれば、測定結果表示画面（７００）において、通知によって異なる態様で測定結果に関する通知が表示される。それゆえ検体分析装置（３０）の操作者は通知があることのみならず、通知の種類をも容易に認識することができる。
【００４２】
表示ステップにおいて、検体分析装置（３０）の操作者により選択された測定項目に対応する測定項目の測定結果と、測定結果に関する通知を示す情報とが、同一画面上に表示されてもよい。
【００４３】
前記の構成によれば、測定結果表示画面（７００）において、選択された測定項目に対応する情報と、測定結果に関する通知とが同一画面上に表示される。それゆえ、検体分析装置（３０）の操作者が、測定結果に関する通知が表示されていない測定結果を選択したとしても、測定結果に関する通知への認識が妨げられない。
【００４４】
測定結果に関する通知が表示されているタブ（７１０ｃ）が、所定の表示順になるように、タブ（７１０）を表示してもよい。
【００４５】
前記の構成によれば、測定結果表示画面（７００）において、測定結果に関する通知が表示されているタブ（７１０ｃ）は、事前に定めた表示順で表示される。これにより、例えば、「測定結果に関する通知が表示されているタブ（７１０ｃ）を、複数のタブ（７１０）の左端に表示させる」という表示方法が可能になる。それゆえ、検体分析装置（３０）の操作者が、測定結果に関する通知の表示されているタブ（７１０ｃ）を選択する際の手間が省かれる。あるいは、「測定結果に関する通知が表示されているタブ（７１０ｃ）を、最初から選択状態にして、当該測定結果に関する通知が表示されているタブ（７１０ｃ）に関する情報を表示させる」こともできる。
【００４６】
本発明の他の態様に係る検体分析装置（３０）は、制御部（分析制御部３３ａ）および表示部（３３ｃ）を備えており、複数の測定項目の測定結果を表示する検体分析装置（３０）であって、制御部（分析制御部３３ａ）は、複数の測定項目の各々を選択可能に表示部（３３ｃ）に表示するとともに、測定結果に関する通知を当該測定項目に対応付けて表示部（３３ｃ）に表示する、通知表示ステップと、測定項目の少なくとも１つが選択されたことに応じて、選択された測定項目の測定結果を表示部（３３ｃ）に表示する、測定結果表示ステップと、を実行する。
【００４７】
前記の構成によれば、測定結果を表示するために測定項目を選択させる表示画面において、ある測定結果に関する通知が、当該測定項目に対応付けて表示部（３３ｃ）に表示される検体分析装置（３０）が提供される。このような検体分析装置（３０）の操作者は、測定項目を選択する段階で、測定結果に関する通知があることを認識することができる。
【００４８】
前記の課題を解決するために、本発明のさらに他の態様に係るコンピュータプログラムは、複数の測定項目の測定結果を表示する検体分析装置（３０）に用いられるコンピュータプログラムであって、複数の測定項目の各々を選択可能に表示部（３３ｃ）に表示するとともに、測定結果に関する通知を当該測定項目に対応付けて表示部（３３ｃ）に表示する、通知表示ステップと、測定項目の少なくとも１つが選択されたことに応じて、選択された測定項目の測定結果を表示部（３３ｃ）に表示する、測定結果表示ステップと、を検体分析装置（３０）に実行させる。
【００４９】
前記の構成によれば、測定結果を表示するために測定項目を選択させる表示画面において、ある測定結果に関する通知が、当該測定項目に対応付けて表示部（３３ｃ）に表示されるように検体分析装置（３０）を動作させるコンピュータプログラムが提供される。このようなコンピュータプログラムが使用されている検体分析装置（３０）の操作者は、測定項目を選択する段階で、測定結果に関する通知があることを認識することができる。
【００５０】
本発明のさらにまた他の態様に係るコンピュータ読み取り可能な記録媒体には、前記のコンピュータプログラムが記録されている。
【００５１】
前記の構成によれば、前記のコンピュータプログラムを、物理的な実体を伴って存在させることができる。
【発明の効果】
【００５２】
本発明によれば、測定結果に関する通知を容易に認識することができる、検体分析装置による測定結果の表示方法が提供される。
【図面の簡単な説明】
【００５３】
【図１】本発明の一実施形態に係る検体分析装置の、要部構成を示すブロック図である。
【図２】本発明の一実施形態に係る検体分析装置の、測定部を模式的に表す上面図である。
【図３Ａ】本発明の一実施形態に係る検体分析装置において、測定結果表示画面の表示に関わる各部を表すブロック図である
【図３Ｂ】本発明の一実施形態に係る検体分析装置において、測定結果表示画面が表示される際の処理の流れを表すフローチャートである。
【図４】ジョブリスト表示画面の画面構成例を示す図である。
【図５】本発明の実施形態１における測定結果表示画面を示す図である。
【図６】図５の画面から、エラー通知マークの表示されているタブを選択したときに表示される画面を示す図である。
【図７】本発明の参考例における測定結果表示画面を示す図である。
【図８】本発明の実施形態２における測定結果表示画面を示す図である。（ａ）は、エラー通知マークが表示されているタブが存在する場合を表す。（ｂ）は、エラー通知マークが表示されているタブが存在しない場合を表す。
【図９】（ａ）および（ｂ）は、本発明の実施形態３における測定結果表示画面を表す遷移図である。
【図１０】（ａ）および（ｂ）は、本発明の変形例における測定結果表示画面を表す遷移図である。
【図１１】（ａ）〜（ｄ）は、本発明が有用に利用されうる想定シナリオにおける、表示画面の遷移図である。
【図１２】従来技術における測定結果の表示画面を表す図である。
【図１３】従来技術における測定結果の表示画面を表す図である。
【発明を実施するための形態】
【００５４】
以下、本発明の一実施形態について、図面に基づいて説明する。
【００５５】
〔検体分析装置の全体構成〕
まず、図１、２を参照して、本発明の一実施形態に係る検体分析装置３０の構造を説明する。図１に示すように、検体分析装置３０は、測定部３２と、分析部３３と、を備える。
【００５６】
測定部３２は、測定制御部３２ａと、測定記憶部３２ｂと、図２に示す各種の機構部と、を備える。測定制御部３２ａは、例えば、ＣＰＵである。測定記憶部３２ｂは、例えば、ＲＯＭ、ＲＡＭ、ハードディスクである。測定制御部３２ａは、測定記憶部３２ｂに記憶されたプログラムやデータに従って、測定部３２内の各部を制御する。測定制御部３２ａは、例えば検体の血液凝固分析に必要な測定を行い、測定結果を分析部３３に送る。
【００５７】
分析部３３は、分析制御部３３ａと、分析記憶部３３ｂと、表示部３３ｃと、入力部３３ｄと、を備える。分析制御部３３ａは、例えば、ＣＰＵである。分析記憶部３３ｂは、例えば、ＲＯＭ、ＲＡＭ、ハードディスクである。分析制御部３３ａは、分析記憶部３３ｂに記憶されたプログラムやデータに従って、分析部３３内の各部と、測定部３２とを制御する。表示部３３ｃは、例えば、液晶ディスプレイである。入力部３３ｄは、例えば、マウスやキーボードである。表示部３３ｃと入力部３３ｄは、タッチパネル式のディスプレイなどにより一体的に構成されてもよい。
【００５８】
ここで、分析制御部３３ａは、ハードウェアによって実現してもよい（例えば、集積回路などに形成された論理回路を用いて）。あるいは、分析制御部３３ａは、ソフトウェアによって実現してもよい（例えば、１つ以上のプロセッサと、コンピュータに各機能を実現させるプログラムを記憶したコンピュータ読み取り可能な記録媒体と、を備える装置を用いて）。
【００５９】
分析制御部３３ａは、測定部３２から受け取った測定結果に基づいて、例えば検体の血液凝固分析を行う。この場合、分析制御部３３ａは、ＰＴ、ＡＰＴＴ、Ｆｂｇ、外因系凝固因子、内因系凝固因子、凝固第XIII因子、ＨｐＴ、ＴＴＯ、ＦＤＰ、Ｄダイマー、ＰＩＣ、ＦＭ、ATIII、Ｐｌｇ、ＡＰＬ、ＰＣ、ＶＷＦ：Ａｇ、ＶＷＦ：ＲＣｏ、ＡＤＰ、コラーゲン、エピネフリンなどの測定項目について分析を行う。
【００６０】
図２に示すように、測定部３２は、搬送部３１の後方に配置されている。一実施形態において、測定部３２は、血液凝固分析に必要な測定を行う。この場合、検体容器２０に収容されている検体は、血漿である。
【００６１】
なお、検体容器２０に検体として収容される液体は、血漿に限らない。すなわち、検体容器２０に収容される検体は、血漿に限らず、全血、血清、尿、リンパ液、体腔液などでもよい。例えば、検体に対して測定部３２で血球検査に関する測定が行われる場合、検体は全血とされうる。例えば、検体に対して測定部３２で血液凝固検査、免疫検査、または生化学検査に関する測定が行われる場合、検体は血漿とされうる。例えば、検体に対して測定部３２で免疫検査または生化学検査に関する測定が行われる場合、検体は血清とされうる。
【００６２】
測定部３２は、検体分注部４１０と、反応容器テーブル４２０と、加温テーブル４３０と、試薬テーブル４４０と、試薬分注部４５０、４６０と、移送部４７０と、検出部４８０と、検体分注部４９０と、を備える。
【００６３】
検体分注部４１０は、吸引部４１１と、アーム４１２と、機構部４１３と、を備える。検体分注部４１０は、検体ラック１０にセットされ、吸引位置３０１に位置付けられている検体容器２０から、吸引部４１１を介して検体を吸引する。その後、検体分注部４１０は、吸引した検体を反応容器テーブル４２０の保持孔４２１に保持されている反応容器４２２に吐出する。
【００６４】
検体分注部４９０は、検体分注部４１０と同様、吸引部４９１と、アーム４９２と、機構部４９３と、を備える。吸引部４９１は、アーム４９２の先端に設置されている。吸引部４９１は、ノズルにより構成される。機構部４９３は、アーム４９２を周方向に回転させるとともに上下方向に移動させるよう構成されている。これにより、吸引部４９１が周方向および上下方向に移動可能となる。
【００６５】
検体分注部４９０は、検体ラック１０にセットされ、ラック搬送部４２上の吸引位置３０２に位置付けられている検体容器２０に対して、吸引部４９１を上側から下降させて検体容器２０に挿入する。そして、検体分注部４９０は、吸引部４９１を介して検体容器２０から検体を吸引し、吸引した検体を反応容器テーブル４２０の保持孔４２１に保持された反応容器４２２に吐出する。
【００６６】
反応容器テーブル４２０は、平面視においてリング形状を有し、試薬テーブル４４０の外側に配置されている。反応容器テーブル４２０は、周方向に回転可能に構成されている。反応容器テーブル４２０は、反応容器４２２を保持するための複数の保持孔４２１を有する。
【００６７】
加温テーブル４３０は、反応容器４２２を保持するための複数の保持孔４３１と、反応容器４２２を移送するための移送部４３２と、を備える。加温テーブル４３０は、平面視において円形の輪郭を有し、周方向に回転可能に構成されている。加温テーブル４３０は、保持孔４３１にセットされた反応容器４２２を３７℃に加温する。
【００６８】
反応容器テーブル４２０に保持された反応容器４２２に検体が吐出されると、反応容器テーブル４２０が回転され、検体を収容する反応容器４２２が加温テーブル４３０の近傍まで移送される。そして、加温テーブル４３０の移送部４３２が、この反応容器４２２を把持して、加温テーブル４３０の保持孔４３１にセットする。
【００６９】
試薬テーブル４４０は、血液凝固分析に必要な測定に使用する試薬を収容した試薬容器４４１を、複数設置可能に構成されている。試薬テーブル４４０は周方向に回転可能に構成されている。試薬テーブル４４０には、測定項目の測定において用いる試薬を収容した試薬容器４４１が複数設置される。
【００７０】
試薬分注部４５０は、ノズル４５１と機構部４５２を備える。機構部４５２は、試薬テーブル４４０を横切るようにノズル４５１を水平方向に移動させるとともに、ノズル４５１を上下方向に移動させるよう構成されている。同様に、試薬分注部４６０は、ノズル４６１と機構部４６２を備える。機構部４６２は、試薬テーブル４４０を横切るようにノズル４６１を水平方向に移動させるとともに、ノズル４６１を上下方向に移動させるよう構成されている。試薬分注部４５０、４６０は、測定部３２の筐体上面の下側に設置されている。
【００７１】
試薬分注部４５０、４６０は、加温テーブル４３０で加温された反応容器４２２に試薬を分注する。試薬の分注の際は、移送部４３２または移送部４７０が、加温テーブル４３０の保持孔４３１から反応容器４２２を取り出し、加温テーブル４３０近傍の所定位置に位置付ける。そして、試薬分注部４５０、４６０が、試薬容器４４１からノズル４５１、４６１を介して試薬を吸引し、吸引した試薬を反応容器４２２に吐出する。これにより、検体に試薬が混合され、測定試料が調製される。その後、移送部４７０は、反応容器４２２を検出部４８０の保持孔４８１にセットする。
【００７２】
検出部４８０の測定原理は、例えば、凝固法、合成基質法、免疫比濁法、凝集法、などである。検出部４８０は、複数の保持孔４８１を備える。検出部４８０は、保持孔４８１にセットされた反応容器４２２に対して光を照射し、測定試料を透過した光を受光して、受光強度に応じた信号を出力する。測定部３２の測定制御部３２ａは、検出部４８０から出力される信号を測定結果として記憶するとともに、測定結果を分析部３３に送る。
【００７３】
〔測定結果表示画面の表示機構〕
表示部３３ｃに測定結果表示画面７００を表示する際の機構について、図３Ａ、３Ｂを参照しながら説明する。図３Ａは、測定結果表示画面７００の表示に関わる各部を表すブロック図である。
【００７４】
分析記憶部３３ｂには、測定部３２により取得された測定結果などが格納される。
【００７５】
タブ生成部４６は、分析記憶部３３ｂから測定結果を読み出し、測定項目毎にタブ７１０を生成して、表示制御部４９に送る。また、タブ生成部４６は、ある測定結果について通知判定部４７が「通知あり」と判定した場合は、当該通知を前記測定結果に対応するタブに紐付けて、表示制御部４９に送る。
【００７６】
通知判定部４７は、測定結果を分析記憶部３３ｂから読み出す。その後、通知判定部４７は、測定結果毎に通知判定基準との比較を行い、測定結果に関する通知の有無を判定する。「測定結果に関する通知がある」と判定した場合、通知判定部４７は、タブ生成部４６に測定結果に関する通知を送る。ここで、通知判定基準とは、測定結果に関する通知の有無を判定する基準のことである。一例において、この基準は測定結果の正常値に関する基準である。
【００７７】
入力部３３ｄは、分析部３３に対する操作者の操作入力を受け付ける。操作者による操作入力の結果は、入力部３３ｄから表示制御部４９に送られ、最終的に表示部３３ｃにおける表示画面が変化する。
【００７８】
表示制御部４９は、タブ生成部４６や入力部３３ｄから受け取った情報に基づいて表示画面を生成し、表示部３３ｃに表示させる。
【００７９】
以上に説明した機能ブロックのうち、タブ生成部４６、通知判定部４７および表示制御部４９は、例えば、ＣＰＵによって実装されてもよい。
【００８０】
次に、測定結果表示画面７００が表示される際の処理の流れを、図３Ｂを参照しながら説明する。
【００８１】
Ｓ１において、タブ生成部は、測定結果に基づいて測定項目毎にタブを生成する。具体的には、分析記憶部３３ｂから測定結果を読み出し、測定項目毎にタブ７１０を生成する。
【００８２】
Ｓ２において、通知判定部４７は、測定項目毎に、測定結果に関する通知の有無を判定する。より具体的には、通知判定部４７は、測定項目毎の測定結果および通知判定基準を分析記憶部３３ｂから読み出し、これらを比較することによって、測定結果に関する通知の有無を判定する。「通知あり」と判定された測定項目に対しては、測定結果に関する通知がタブ生成部４６に送られる。
【００８３】
Ｓ３において、タブ生成部４６は、「通知あり」と判定された測定項目のタブ７１０ｃに、測定結果に関する通知を紐付ける。
【００８４】
Ｓ４において、表示制御部４９は、（ｉ）初期設定の測定項目の測定結果と、（ｉｉ）測定結果に関する通知を表示部３３ｃに表示させる。つまり、通知表示ステップと、初期設定の測定項目の測定結果の表示との、両方が行われる。初期設定の測定項目とは、例えば、最も左端のタブ７１０に表示される測定項目でありうる。
【００８５】
Ｓ５において、入力部３３ｄは、検体分析装置３０の操作者による、タブ７１０を選択する入力を受け付ける。
【００８６】
Ｓ６において、表示制御部４９は、（ｉ）Ｓ５にて選択されたタブに対応する測定項目の測定結果と、（ｉｉ）測定結果に関する通知を表示部３３ｃに表示させる。つまり、測定結果表示ステップおよび通知表示ステップの両方が行われる。
【００８７】
〔画面構成〕
以下、図４〜図１１を参照しながら、検体分析装置３０の画面構成について説明する。
【００８８】
［ジョブリスト表示画面］
図４は、検体分析装置３０の表示部３３ｃに表示される、ジョブリスト表示画面６００の画面構成例を示す図である。ジョブリスト表示画面６００には、検体一覧表示領域６１０、測定結果表示領域６２０、反応曲線表示領域６３０、エラー情報表示領域６４０が含まれている。
【００８９】
検体一覧表示領域６１０は、検体分析装置３０で処理が行われる検体の一覧を表示する領域である。検体一覧表示領域６１０には、１行毎に１つの検体の情報が表示される。つまり、行６１５ａ、６１５ｂ、６１５ｃ、６１５ｄ、６１５ｅ…のそれぞれが、１つの検体の情報を表している。これらの行のいずれかを選択することにより（図４では行６１５ｃを選択している）、当該行に対応する検体の情報が、測定結果表示領域６２０、反応曲線表示領域６３０およびエラー情報表示領域６４０に表示される。また、ある行が選択されている状態で所定の操作（ダブルタッチなど）を行うことにより、当該行に対応する検体の測定結果表示画面７００に画面が遷移する（図５を参照）。
【００９０】
検体一覧表示領域６１０中、「状態」の列は、その検体がどのような状態にあるかを示している。図４の例では、"complete"は「測定が完了した」ことを示し、"Review"は「測定結果にエラーがある」ことを示し、"On Hold"は「測定は完了したが、バリデーションを行った検量線がないため、パラメータが算出されていない側地底項目がある」ことを示し、"Processing"は「測定が進行中である」ことを示し、"Pending"は「測定前である」ことを示し、"Error"は「測定に失敗した」ことを示す。
【００９１】
測定結果表示領域６２０には、検体一覧表示領域６１０で選択されている行に対応する検体の測定結果が表示される。１つの測定項目対して複数のパラメータを算出する場合は、パラメータ毎に測定結果が表示される。図４の例では、検査項目「ＰＴ（プロトロンビン時間）」から、「ＰＴ  ｓｅｃ（プロトロンビン時間を秒単位で表記したもの）」「ＰＴ  ％（プロトロンビン活性）」「ＰＴ  Ｒ（プロトロンビン比）」の３種類のパラメータが表示され、さらに検査項目「ＡＰＴＴ（活性化部分トロンボプラスチン時間）」「Ｆｂｇ（フィブリノーゲン量）」の結果も表示されている。なお、測定結果表示領域６２０の「測定状態」列において、「＊＊＊＊＊＊」とアスタリスクで表示されている箇所は、エラーが生じた箇所である。図４の例では、ＰＴ  ｓｅｃの測定結果が、エラーが生じた箇所である。
【００９２】
反応曲線表示領域６３０には、測定結果表示領域６２０で選択されている行に対応する測定項目の反応曲線が表示される。図４の例では、測定結果表示領域６２０ではＰＴ  ｓｅｃが選択されており、ＰＴ  ｓｅｃは測定項目ＰＴのパラメータであるから、ＰＴの反応曲線が表示されている。
【００９３】
エラー情報表示領域６４０には、測定結果表示領域６２０で選択されている行に対応するパラメータに関するエラー情報が表示される。図４の例では、ＰＴ  ｓｅｃにおいて、初期反応異常(Early Reaction Error)の中でもStart Angle2が認められる旨が表示されている。
【００９４】
このように、図４に例示するようなジョブリスト表示画面６００においては、エラー情報表示領域６４０を参照することにより、操作者はエラー情報を確認することができる。しかし、図４に例示される画面構成の場合、エラー情報表示領域６４０に表示されるエラー情報は、測定結果表示領域６２０で選択されたパラメータに関してのみである。それゆえ、測定項目やパラメータの数が増大すると、表示される行が増加するため、どこにエラー情報があるのかを探す際にスクロール領域Ｓを操作する必要が生じる場合があり、それゆえエラー情報の認識に時間を要する場合がある。また、図４に例示される画面構成において、測定結果表示領域６２０では一行に１つのパラメータを表示している。それゆえ、一行に１つの測定項目を表示するよりも行数が増加しがちであり、その分エラー情報の認識に時間を要する傾向にある。
【００９５】
一方、以下の実施形態で説明する測定結果表示画面７００の画面構成は、エラー情報の認識性が向上されるように設計されている。それゆえ、操作者は、エラー情報を直ちに認識することができる。
【００９６】
［実施形態１］
図５は、本発明の実施形態１における、測定結果表示画面７００の画面構成例を示す図である。測定結果表示画面７００は、ジョブリスト表示画面６００から遷移することのできる画面である。測定結果表示画面７００には、タブ７１０、反応曲線表示領域７２０、測定結果表示領域７３０、詳細情報表示領域７４０、エラー情報表示領域７５０、エラー解説表示ボタン７６０が含まれている。このうち、反応曲線表示領域７２０には、選択されている測定項目の反応曲線が表示される。詳細情報表示領域には、選択されている測定項目の詳細情報が表示される。エラー情報表示領域７５０には、選択されている測定項目に関して発生した、エラーに関する情報が表示される。エラー解説表示ボタン７６０は、これをタッチすることにより、エラーに関する解説を表示する。このとき回折が表示されるエラーは、エラー情報表示領域７５０にて選択されているエラーである。
【００９７】
タブ７１０は、測定項目毎に生成され、測定項目表示部７１２が設けられている。実施形態１では、タブ７１０ａ、７１０ｂ、７１０ｃの３つのタブが生成され、それぞれＡＰＴＴ、Ｆｂｇ、ＰＴの測定項目に対応している。タブ７１０のいずれかを選択すると、選択されたタブに対応する情報が表示される。すなわち、選択されたタブの測定項目表示部７１２に表示されている測定項目の、反応曲線表示領域７２０、測定結果表示領域７３０、詳細情報表示領域７４０およびエラー情報表示領域７５０が表示される。図５は、ジョブリスト表示画面６００から遷移したばかりの測定結果表示画面７００を表している。この初期状態では、タブ７１０ａが選択されており、ＡＰＴＴに関する情報が表示されている。
【００９８】
ここで、タブ７１０ｃには、エラーが発生していることを示す、エラー通知マーク７１５が表示されている。タブ７１０は、どのタブが選択されているかに関係なく、常に測定結果表示画面７００に表示されているものである。そのため、エラー通知マーク７１５も、常に測定結果表示画面７００に表示されることになる。結果として操作者は、測定結果表示画面７００を参照することにより、どの測定項目にエラーが発生したかを即座に知ることができる。
【００９９】
図６は、図５の測定結果表示画面７００において、タブ７１０ｃを選択した状態を表す図である。この状態においては、ＰＴに関する情報が表示される。したがって、操作者は、エラー情報表示領域７５０を参照することによって、どのようなエラーが発生したかを知ることができる。図６の例では、初期反応異常のStart Angle2およびStart Angle3、ならびにAntigen Expressが発生したことが表示されている。
【０１００】
［参考例］
参考例として、図７に、エラーが発生していないときに、タブ７１０ｃを選択した状態を表す図を示す。図７においては、エラー通知マーク７１５が表示されておらず、エラー情報表示領域７５０にもエラーに関する情報が表示されていない。また、反応曲線表示領域７２０に表示されている反応曲線も、正常な反応曲線である。
【０１０１】
［実施形態２］
実施形態２では、エラーが発生しているタブを、事前に定めた表示順で表示する表示方法について説明する。
【０１０２】
図８は、本発明の実施形態２における、測定結果表示画面７００を示す図である。図８の（ａ）では、タブ７１０ｃにエラー通知マーク７１５が表示されている。そのため、タブ７１０ｃの表示位置は左端になる。タブ７１０ａ〜７１０ｃがこのように配置されることによって、ジョブリスト表示画面６００から測定結果表示画面７００に画面が遷移したときに最初に表示されるのは、タブ７１０ｃに関する情報（ＰＴの測定結果）となる。
【０１０３】
一方、図８の（ｂ）では、タブ７１０ｃにエラー通知マーク７１５が表示されていない。そのためタブの配置は、通常と同じで、左端から７１０ａ、７１０ｂ、７１０ｃのままである。また、ジョブリスト表示画面６００から測定結果表示画面７００に画面が遷移したときに最初に表示されるのは、タブ７１０ａに関する情報（ＡＰＴＴの測定結果）となる。
【０１０４】
このように、エラー通知マーク７１５の有無によりタブの配置を変化させることにより、操作者は、エラーが発生しているタブを、より見逃しにくくなる。また、ジョブリスト表示画面６００から測定結果表示画面７００に画面が遷移したときに最初に表示されるタブを、エラー通知マーク７１５が表示されているタブとすれば、より効果的に操作者にエラーの発生を通知することができる。
【０１０５】
［実施形態３］
実施形態３では、エラー解説表示領域７８０を表示させる表示方法について説明する。
【０１０６】
図９の（ａ）は、図６と同じ図である。すなわち、エラー通知マーク７１５が表示されているタブ７１０ｃに関する情報（ＰＴの測定結果）を表示している状態である。
【０１０７】
図９の（ａ）の状態から、エラー情報表示領域７５０から１つのエラー情報を選択し（図９の例ではStart Angle2を選択している）、エラー解説表示ボタン７６０をタッチした後に表れる画面が、図９の（ｂ）である。この画面では、エラー解説表示領域７８０が表示され、エラー情報表示領域７５０において選択されたエラーに関する解説を表示する（例えば、エラーの原因、エラーへの対処方法など）。
【０１０８】
実施形態３において、エラー解説表示領域７８０は、タブ７１０ｃに関する情報（ＰＴの測定結果）と同じ画面上に表示される。このため、操作者は、測定結果に関する情報とエラーに関する解説とを、一度に参照することができる。図９の例では、反応曲線および各種パラメータと、エラーに関する解説とを一度に参照することができる。
【０１０９】
従来、このようなエラーに関する解説を参照する際には、操作者は、画面に表示されるエラーコードに基づいて取扱説明書を引く必要があった。仮に、表示部３３ｃにエラーに関する解説が表示されたとしても、エラー解説表示領域７８０を、タブ７１０に関する情報とは別の画面に表示したり、ポップアップで表示したりすると、エラーに関する解説と測定結果に関する情報とを一度に参照することはできなかった。
【０１１０】
実施形態３によれば、エラー解説表示領域７８０を、タブ７１０ｃに関する情報と同じ画面上に表示することによって、操作者の手間を省くことができる。
【０１１１】
［変形例１］
上述の実施形態において、タブ７１０の数が多い場合には、いくつかのグループ毎にタブ７１０を表示してもよい。
【０１１２】
図１０は、タブ７１０ａ〜７１０ｆの６つのタブに対応する測定項目がある場合の、測定結果表示画面７００を示す図である。（ａ）は、最初に測定結果表示画面７００が表示された際の画面で、タブ７１０ａ、７１０ｂ、７１０ｃの３つのタブが表示されている。（ａ）の状態からページ切り替えボタン７９０をタッチすると、（ｂ）の画面に遷移する。（ｂ）の画面においては、タブ７１０ｄ、７１０ｅ、７１０ｆの３つのタブが表示されている。
【０１１３】
このように、１画面中に表れるタブの数を制限することによって、タブ７１０に一度に表示される情報量が過剰になることを防止できる。そのため、操作者は、各測定項目を認識しやすくなる。
【０１１４】
なお、本変形例のように、表示されるタブ７１０を切り替えられる構成とする場合は、頻繁に使用する測定項目に関するタブを、測定結果表示画面７００が最初に表示されたときの画面に含ませることが好ましい。例えば、ＡＰＴＴ、Ｆｂｇ、ＰＴの方が、ＡＰＬ、ＡＴ３、Ｐｌｇよりも頻繁に使用される場合は、図１０のようにタブ７１０を配置することが好ましい。
【０１１５】
［変形例２］
上述の実施形態および変形例では、タブによって測定結果を表示する態様について説明したが、本発明の一実施形態に係る表示方法は、タブを用いた表示方法に限定されない。
【０１１６】
例えば、検体分析装置３０による複数の測定項目を、チェックボックスにより選択させてもよい。具体的には、測定結果表示画面７００に、各測定項目に対応する複数のチェックボックスが配置し、検体分析装置３０の操作者は、少なくとも１つのチェックボックスを選択する。この操作によって、選択されたチェックボックスに対応する測定項目の測定結果が表示されるように、表示画面が遷移する。このとき、複数のチェックボックスは、測定結果と同じ画面に表示されていてもよいし、表示されていなくてもよい。
【０１１７】
チェックボックスを用いる例において、測定結果に関する通知は、当該測定項目に対応するチェックボックスに対して表示される。例えば、チェックボックスに関連付けられている文字のフォントや色を変化させる、チェックボックスの周囲に適当なマークを表示する、チェックボックスまたはその周囲の色を変化させる、ことにより通知を表示することができる。
【０１１８】
このように、本発明の一実施形態に係る表示方法は、測定項目を一覧にして表示し、特定の測定項目を選択することによって当該測定項目の測定結果を表示する画面設計一般に対して応用することができる。
【０１１９】
［想定シナリオ］
以下、本発明の一実施形態に係る表示方法が有用に使用されうる想定シナリオの一例を、図１１に基づいて説明する。
【０１２０】
（ａ）操作者は、ジョブリスト表示画面６００を閲覧して、行６１５ｃに対応する検体の状態が"Review"であることを知る。状態が"Review"である検体は、測定の結果にエラーが発生したことを表している。それゆえ操作者は、どの測定項目に、どのようなエラーが発生したかを知るために、行６１５ｃに対応する検体の測定結果表示画面７００を表示させる。
【０１２１】
（ｂ）測定結果表示画面７００が表示されると、操作者は直ちに、タブ７１０ｃにエラー通知マーク７１５が表示さていることを認識する。つまり、この時点で、ＰＴの測定結果にエラーがあったことが判明する。そこで操作者は、タブ７１０ｃを選択し、ＰＴの測定結果を表示させる。
【０１２２】
（ｃ）ＰＴの測定結果に画面を遷移させると、エラー情報表示領域７５０に、エラーに関する情報が表示される。操作者はこの情報を参照して、どのようなエラーが発生したかを知る。また、操作者はさらなる情報を求めて、エラー解説表示ボタン７６０をタッチする。
【０１２３】
（ｄ）エラー解説表示領域７８０がＰＴの測定結果と同じ画面に表示される。操作者は、エラーに関する解説とＰＴの測定結果とを相互に参照して、取るべき対処方法を知る。例えば、同じ検体を用いて再測定を行えばよいのか、検体に特定の処理（遠心分離など）を施した後で再測定を行えばよいのか、検体を再度採取してから再測定を行えばよいのか、を決めることができる。
【符号の説明】
【０１２４】
３０  ：検体分析装置
３３ａ：分析制御部（制御部）
３３ｃ：表示部
７１０  ：タブ
【図１】
2020056623.tif 000003
【図２】
2020056623.tif 000004
【図３Ａ】
2020056623.tif 000005
【図３Ｂ】
2020056623.tif 000006
【図４】
2020056623.tif 000007
【図５】
2020056623.tif 000008
【図６】
2020056623.tif 000009
【図７】
2020056623.tif 000010
【図８】
2020056623.tif 000011
【図９】
2020056623.tif 000012
【図１０】
2020056623.tif 000013
【図１１】
2020056623.tif 000014
【図１２】
2020056623.tif 000015
【図１３】
2020056623.tif 000016